(57)【特許請求の範囲】
【請求項１】
所定の端部に複数の接続端子が設けられ、これらの接続端子の配列領域の両側に、接続端子配列方向位置合わせ用の第１のアライメントマークと、この第１のアライメントマークとは異なり、接続端子配列方向に直交する方向位置合わせ用の第２のアライメントマークとが設けられた表示パネルと、一端部に前記表示パネルの接続端子に接続される複数の接続端子が設けられ、これらの接続端子の配列領域の両側に、接続端子配列方向位置合わせ用の第１のアライメントマークと、この第１のアライメントマークとは異なり、接続端子配列方向に直交する方向位置合わせ用の第２のアライメントマークとが設けられたフレキシブル配線基板とを具備し、前記フレキシブル配線基板の一端部の先端の片側または両側の、前記表示パネルの第２のアライメントマークに対応し前記接続端子配列方向に直交する方向の部分に切欠部が設けられていることを特徴とする表示装置。
【請求項２】
請求項１に記載の発明において、前記表示パネルは互いに貼り合わされた２枚の基板を備え、一方の基板の相隣接する所定の２辺部が他方の基板から突出され、これらの突出部の交差部上に前記接続端子が設けられ、前記各突出部上に表示パネル駆動用の半導体チップが搭載され、前記各突出部上に前記接続端子と前記半導体チップの入力側接続電極とを接続する配線が設けられていることを特徴とする表示装置。
【発明の詳細な説明】
【０００１】
【発明の属する技術分野】
この発明は液晶表示装置等の表示装置に関する。
【０００２】
【従来の技術】
図３は従来の液晶表示装置の一例の一部の平面図を示したものである。この液晶表示装置はアクティブマトリクス型の液晶表示パネル１を備えている。液晶表示パネル１は、ガラスや樹脂等からなる下側と上側の２枚の基板２、３が互いに貼り合わされ、その間に液晶（図示せず）が封入された構造となっている。この場合、下側基板２の下辺部及び右辺部は上側基板３から突出され、これらの突出部２ａ、２ｂの上面の各所定の箇所には液晶表示パネル駆動用のＬＳＩ等からなる半導体チップ４、５が搭載されている。両突出部２ａ、２ｂの交差部２ｃの上面の所定の端部にはフレキシブル配線基板６の一端部が接続されている。フレキシブル配線基板６の他端部は図示しない液晶表示パネル制御用の回路基板に接続されている。
【０００３】
次に、図４は図３に示す液晶表示装置の一部を拡大した平面図を示し、図５はその分解した状態における平面図を示す。液晶表示パネル１の両突出部２ａ、２ｂの交差部２ｃの上面の所定の端部にはそれぞれ複数ずつの第１及び第２の接続端子１１、１２が設けられている。第１の接続端子１１は、一方の突出部２ａの上面に設けられた第１の配線１３を介して一方の半導体チップ４の入力側バンプ電極（接続電極、図示せず）に接続されている。第２の接続端子１２は、他方の突出部２ｂの上面に設けられた第２の配線１４を介して他方の半導体チップ５の入力側バンプ電極（接続電極、図示せず）に接続されている。両突出部２ａ、２ｂの交差部２ｃの上面において第１及び第２の接続端子１１、１２の配列領域の両側の各所定の箇所には左右方向（接続端子配列方向）位置合わせ用の十字状の第１のアライメントマーク１５、１６及び上下方向（接続端子配列方向に直交する方向）位置合わせ用の方形状の第２のアライメントマーク１７、１８が設けられている。
【０００４】
一方、フレキシブル配線基板６はフィルム基板２１を備えている。フィルム基板２１の下面には複数ずつの第１及び第２の配線２２、２３が設けられている。第１及び第２の配線２２、２３の各一端部は第１及び第２の接続端子２４、２５となっている。フィルム基板２１の一端部の下面において第１及び第２の接続端子２４、２５の配列領域の両側の各所定の箇所には左右方向（接続端子配列方向）位置合わせ用の方形状の第１のアライメントマーク２６、２７及び上下方向（接続端子配列方向に直交する方向）位置合わせ用の方形状の第２のアライメントマーク２８、２９が設けられている。この場合、左側の第１のアライメントマーク２６の左端縁はフィルム基板２１の左端縁に設けられ、右側の第１のアライメントマーク２７の右端縁はフィルム基板２１の右端縁に設けられ、第２のアライメントマーク２８、２９の各一端縁はフィルム基板２１の一端縁に設けられている。
【０００５】
そして、フレキシブル配線基板６の一端部を液晶表示パネル１の両突出部２ａ、２ｂの交差部２ｃの上面の所定の端部に接続する場合には、まず、図示していないが、両突出部２ａ、２ｂの交差部２ｃの上面において第１及び第２の接続端子１１、１２の配列領域上に異方性導電接着剤を配置する。次に、図４に示すように、フレキシブル配線基板６の左側の第１のアライメントマーク２６の左端縁を液晶表示パネル１の左側の第１のアライメントマーク１５の右端縁に位置合わせすると共に、フレキシブル配線基板６の右側の第１のアライメントマーク２７の右端縁を液晶表示パネル１の右側の第１のアライメントマーク１６の左端縁に位置合わせし、且つ、フレキシブル配線基板６の第２のアライメントマーク２４、２５の各一端縁を液晶表示パネル１の第２のアライメントマーク１７、１８の各下端縁に位置合わせする。この状態では、フレキシブル配線基板６の第１及び第２の接続端子２４、２５はそれぞれ対応する液晶表示パネル１の第１及び第２の接続端子１１、１２上に配置されている。そして、この状態において熱圧着すると、フレキシブル配線基板６の第１及び第２の接続端子２４、２５がそれぞれ対応する液晶表示パネル１の第１及び第２の接続端子１１、１２に異方性導電接着剤を介して導電接続される。
【０００６】
【発明が解決しようとする課題】
ところで、従来のこのような液晶表示装置では、図４に示すように、フレキシブル配線基板６の第２のアライメントマーク２８、２９の各一端縁を液晶表示パネル１の第２のアライメントマーク１７、１８の各下端縁に位置合わせしているので、液晶表示パネル１の第２のアライメントマーク１７、１８をフレキシブル配線基板６の一端縁の外側に設ける必要がある。この結果、特に、液晶表示パネル１の図４における右側の第２のアライメントマーク１８の配置位置が他方の突出部２ｂの端縁２ｄから比較的離れた位置となり、第２の配線１４の引き回しに制約を与え、つまり第２の配線１４の引き回し領域の図４における上端縁が他方の突出部２ｂの端縁２ｄから比較的離れた位置となり、ひいては他方の突出部２ｂの幅が比較的大きくなり、額縁の幅が大きくなってしまうという問題があった。
この発明の課題は、額縁の幅を小さくすることである。
【０００７】
【課題を解決するための手段】
この発明は、所定の端部に複数の接続端子が設けられ、これらの接続端子の配列領域の両側に、接続端子配列方向位置合わせ用の第１のアライメントマークと、この第１のアライメントマークとは異なり、接続端子配列方向に直交する方向位置合わせ用の第２のアライメントマークとが設けられた表示パネルと、一端部に前記表示パネルの接続端子に接続される複数の接続端子が設けられ、これらの接続端子の配列領域の両側に、接続端子配列方向位置合わせ用の第１のアライメントマークと、この第１のアライメントマークとは異なり、接続端子配列方向に直交する方向位置合わせ用の第２のアライメントマークとが設けられたフレキシブル配線基板とを具備し、前記フレキシブル配線基板の一端部の先端の片側または両側の、前記表示パネルの第２のアライメントマークに対応し前記接続端子配列方向に直交する方向の部分に切欠部が設けられていることを特徴とするものである。
この発明によれば、フレキシブル配線基板の一端部の片側または両側において表示パネルのアライメントマークに対応する部分に切欠部を設けているので、表示パネルのアライメントマークの配置位置をフレキシブル配線基板の切欠部に対応する位置とすることができ、これにより額縁の幅を小さくすることができる。
【０００８】
【発明の実施の形態】
図１はこの発明の一実施形態における液晶表示装置の要部の平面図を示し、図２はその分解した状態における平面図を示したものである。これらの図において、図４及び図５と同一名称部分には同一の符合を付し、その説明を適宜省略する。この液晶表示装置のフレキシブル配線基板６において、図４及び図５に示す場合と異なる点は、フィルム基板２１の一端部の両側に切欠部３１を設けた点である。また、これに伴い、液晶表示パネル１においては、第２のアライメントマーク１７、１８の配置位置を図４及び図５に示す場合よりも他方の突出部２ｂの端縁２ｄにある程度近づけた位置とし、また第２の配線１４の引き回し領域の図１における上端縁を図４及び図５に示す場合よりも他方の突出部２ｂの端縁２ｄにある程度近づけた位置としている。
【０００９】
そして、フレキシブル配線基板６の一端部を液晶表示パネル１の両突出部２ａ、２ｂの交差部２ｃの上面の所定の端部に接続する場合には、図１に示すように、上下方向においては、フレキシブル配線基板６の第２のアライメントマーク２８、２９の各一端縁を液晶表示パネル１の第２のアライメントマーク１７、１８の各下端縁に位置合わせする。
【００１０】
この場合、フレキシブル配線基板６の一端部の両側に切欠部３１を設けているので、液晶表示パネル１の第２のアライメントマーク１７、１８をフレキシブル配線基板６の切欠部３１内につまりフレキシブル配線基板６の一端縁の内側に位置させることができる。この結果、上述したように、液晶表示パネル１の第２のアライメントマーク１７、１８の配置位置を図４及び図５に示す場合よりも他方の突出部２ｂの端縁２ｄにある程度近づけた位置とすることができ、これに伴い第２の配線１４の引き回し領域の図１における上端縁を図４及び図５に示す場合よりも他方の突出部２ｂの端縁２ｄにある程度近づけた位置とすることができ、ひいては他方の突出部２ｂの幅を小さくして、額縁の幅を小さくすることができる。
【００１１】
なお、フレキシブル配線基板６の一端部の右側のみに切欠部３１を設け、液晶表示パネル１の右側の第２のアライメントマーク１８のみをフレキシブル配線基板６の切欠部３１内に位置させるようにしてもよい。すなわち、フレキシブル配線基板６の一端部の左側には切欠部３１を設けずに、液晶表示パネル１の左側の第２のアライメントマーク１７の配置位置を図４及び図５に示す場合と同じ位置としてもよい。このようにしても、液晶表示パネル１の右側の第２のアライメントマーク１８の配置位置を図４及び図５に示す場合よりも他方の突出部２ｂの端縁２ｄにある程度近づけた位置とすることができるので、上記実施形態の場合と同様に、他方の突出部２ｂの幅を小さくして、額縁の幅を小さくすることができる。
【００１２】
ところで、液晶表示パネル１の他方の突出部２ｂの幅を図４及び図５に示す場合と同じとしてもよい。このようにした場合には、第２のアライメントマーク１８の配置位置を図４及び図５に示す場合よりも他方の突出部２ｂの端縁２ｄにある程度近づけた位置とすることができる上、第２の配線１４の引き回し領域の図１における上端縁を図４及び図５に示す場合と同じとすることができるので、第２のアライメントマーク１８よりも上側における第２の配線１４の引き回し領域の幅を図４及び図５に示す場合よりも大きくすることができる。この結果、例えばＩＴＯ（インジウム−錫酸化物）によって形成した第２の配線１４の幅を図４及び図５に示す場合よりも大きくすることができ、配線抵抗を小さくすることができる。
【００１３】
【発明の効果】
以上説明したように、この発明によれば、フレキシブル配線基板の一端部の片側または両側において表示パネルのアライメントマークに対応する部分に切欠部を設けているので、表示パネルのアライメントマークの配置位置をフレキシブル配線基板の切欠部に対応する位置とすることができ、これにより額縁の幅を小さくすることができる。
【図面の簡単な説明】
【図１】この発明の一実施形態における液晶表示装置の要部の平面図。
【図２】図１に示す液晶表示装置の分解した状態における平面図。
【図３】従来の液晶表示装置の一例の平面図。
【図４】図３に示す液晶表示装置の一部を拡大した平面図。
【図５】図４に示す液晶表示装置の分解した状態における平面図。
【符号の説明】
１  液晶表示パネル
２、３  基板
４、５  半導体チップ
６  フレキシブル配線基板
１１、１２  接続端子
１３、１４  配線
１５、１６  第１のアライメントマーク
１７、１８  第１のアライメントマーク
２４、２５  接続端子
２６、２７  第１のアライメントマーク
２８、２９  第１のアライメントマーク
３１  切欠部
【図１】
0003861509.tif 000002
【図２】
0003861509.tif 000003
【図３】
0003861509.tif 000004
【図４】
0003861509.tif 000005
【図５】
0003861509.tif 000006